(57)【特許請求の範囲】
【請求項１】
蹴込み面と床面とが交差する段部に取り付けられる角当て部材と、床面に敷設されるカーペットとを備え、上記の角当て部材において段部の床面に取り付けられる床面部に、上方に突出した複数の係止用突起が設けられる一方、上記のカーペットに、上記の係止用突起に対応して貫通穴が設けられ、角当て部材における上記の係止用突起がこのカーペットの貫通穴を貫通するように係合されて、カーペットが角当て部材の床面部の上から連続するように床面の上に装着されてなることを特徴とする段部の床構造。
【請求項２】
請求項１に記載の段部の床構造において、上記の角当て部材における係止用突起の少なくとも上面部が、摩擦係数の高い材料で構成されていることを特徴とする段部の床構造。
【請求項３】
請求項１又は請求項２に記載の段部の床構造において、上記のカーペットの貫通穴を貫通した角当て部材の係止用突起の上面位置と、カーペットの上面位置とが対応していることを特徴とする段部の床構造。
【請求項４】
請求項１〜請求項３の何れか１項に記載の段部の床構造において、上記の角当て部材とカーペットとが床面に接着されてなることを特徴とする段部の床構造。
【発明の詳細な説明】
【技術分野】
【０００１】
この発明は、蹴込み面と床面とが交差する段部に角当て部材を取り付けると共に、この角当て部材と連続するようにして床面にカーペットを敷設させるようにした段部の床構造に関するものである。特に、蹴込み面と床面とが交差する段部に角当て部材を取り付け、この角当て部材と連続するようにして床面にカーペットを敷設させる作業が簡単に行えると共に、段部に取り付けられた角当て部材や、床面に敷設されたカーペットが勝手にずれたりするのを適切に防止し、さらに角当て部材によって十分な滑り防止効果が得られるようにした点に特徴を有するものである。
【背景技術】
【０００２】
従来から、蹴込み面と床面とが交差する段部における滑り止め等を目的として、蹴込み面と床面とが交差する段部に角当て部材を取り付けることが行われている。
【０００３】
また、段部と連続する床面の装飾性を高める等の目的で、角当て部材が取り付けられた床面に対して、角当て部材と連続するようにしてカーペットを敷設させることも行われている。
【０００４】
ここで、このように角当て部材が取り付けられた床面に対して、角当て部材と連続するようにしてカーペットを敷設させるにあたり、従来においては、特許文献１〜３に示されるように、蹴込み面と床面とが交差する段部に、蹴込み面から床面に至る合成樹脂等で構成された角当て部材を取り付け、この角当て部材における蹴込み面と反対側の端部に、蹴込み面と反対側に向けて設けられた凹部内に、カーペットの端部を挟み込んで、カーペットを角当て部材と連続するようにして床面に敷設させるようにしたものが提案されている。
【０００５】
しかし、上記のように角当て部材に設けられた凹部内にカーペットの端部を挟み込むにあたり、カーペットの端部を挟み込む凹部の間隔を大きくして、カーペットを挟み込みやすくした場合、カーペットの端部が角当て部材の凹部内から簡単に外れて浮き上がったり、また凹部の上面がカーペットから浮いた状態になって、この凹部の上面の強度が低下し、この部分が破損したりするという問題があった。一方、カーペットの端部を角当て部材の凹部内に強く挟持させるために、カーペットの端部を挟み込む凹部の間隔を小さくすると、この凹部内にカーペットの端部を挟み込む作業が困難になるという問題があった。
【０００６】
また、蹴込み面と反対側に向けて設けられた角当て部材の凹部内にカーペットの端部を挟み込んで、カーペットを角当て部材と連続するようにして床面に敷設させた場合、このカーペットの上に歩行する際に加わる力が、このカーペットから角当て部材に伝わり、角当て部材が蹴込み面側に押されるようになり、角当て部材を段部に接着させて取り付けているような場合には、この角当て部材がずれて蹴込み面より前方に突出し、角当て部材が段部から外れたりするという問題があった。
【先行技術文献】
【特許文献】
【０００７】
【特許文献１】特開２００４−１９７５３３号公報
【特許文献２】特開２００５−１７１６３６号公報
【特許文献３】特開２００７−２６２７１０号公報
【発明の開示】
【発明が解決しようとする課題】
【０００８】
この発明は、蹴込み面と床面とが交差する段部に角当て部材を取り付けると共に、角当て部材と連続するようにして床面にカーペットを敷設させる場合における上記のような問題を解決することを課題とするものである。
【０００９】
この発明においては、蹴込み面と床面とが交差する段部に角当て部材を取り付け、この角当て部材と連続するようにして床面にカーペットを敷設させる作業が簡単に行えると共に、段部に取り付けられた角当て部材や、床面に敷設されたカーペットが勝手にずれたりするのを適切に防止し、さらに角当て部材によって十分な滑り防止効果が得られるようにすることを課題とするものである。
【課題を解決するための手段】
【００１０】
この発明に係る段部の床構造においては、上記のような課題を解決するため、蹴込み面と床面とが交差する段部に取り付けられる角当て部材と、床面に敷設されるカーペットとを備え、上記の角当て部材において段部の床面に取り付けられる床面部に、上方に突出した複数の係止用突起が設けられる一方、上記のカーペットに、上記の係止用突起に対応して貫通穴が設けられ、角当て部材における上記の係止用突起がこのカーペットの貫通穴を貫通するように係合されて、カーペットが角当て部材の床面部の上から連続するように床面の上に装着されるようにした。
【００１１】
ここで、上記の角当て部材における滑り防止効果を高めるため、この角当て部材における係止用突起の少なくとも上面部を、摩擦係数の高い材料で構成することが好ましい。また、カーペットの貫通穴を貫通した角当て部材の係止用突起の上面位置とカーペットの上面位置とが対応するように、これらが略同じ高さになるようにし、また角当て部材における蹴込み面側の端部に沿って床面部より上方に突出した滑り止め部を設けることが好ましい。
【００１２】
また、上記の角当て部材の材料は特に限定されないが、角当て部材を軟質樹脂で構成すると、角当て部材における滑り防止効果が高められると共に、段部の床面等に適切に接着させることが容易に行えるようになる。
【００１３】
また、上記の角当て部材とカーペットとを蹴込み面と床面とが交差する段部に取り付けるにあたり、角当て部材とカーペットとを床面に接着させるようにすると、これらの取付作業が短時間で簡単に行えるようになる。
【発明の効果】
【００１４】
この発明における段部の床構造においては、段部の床面に取り付けられる角当て部材の床面部に、上方に突出した複数の係止用突起を設ける一方、この係止用突起に対応してカーペットに貫通穴を設け、角当て部材における係止用突起がこのカーペットの貫通穴を貫通するように係合させて、カーペットを角当て部材の床面部の上に装着させるようにしたため、段部に取り付けた角当て部材と連続するようにして床面にカーペットを敷設させる作業が簡単に行えるようになる。
【００１５】
また、上記のように角当て部材における係止用突起がカーペットの貫通穴を貫通するように係合させて、カーペットを角当て部材の床面部の上に装着させているため、角当て部材とカーペットとの動きが相互に規制され、段部に取り付けられた角当て部材や、床面に敷設されたカーペットが勝手にずれたりするのが適切に防止されるようになる。
【００１６】
また、カーペットの貫通穴を貫通して突出された角当て部材における係止用突起とカーペットの上面とにおける凹み強度や摩擦抵抗の差によって、この係止用突起の部分を踏んだ際における滑りが抑制され、特に、上記のように角当て部材における係止用突起の少なくとも上面部を、摩擦係数の高い軟質樹脂等の材料で構成したり、また角当て部材自体を軟質樹脂で構成したりすると、滑り防止効果がさらに高められるようになる。
【図面の簡単な説明】
【００１７】
【図１】本発明の一実施形態における段部の床構造において、段部の床面に装着させる床面部に係止用突起が設けられた角当て部材を示した部分斜視図である。
【図２】上記の実施形態において、角当て部材の床面部に設けられた係止用突起に対応して貫通穴が設けられたカーペットの一部を示し、（Ａ）は概略平面図、（Ｂ）は概略断面図である。
【図３】上記の実施形態において、上記の角当て部材を蹴込み面と床面とが交差する段部に取り付けると共に、角当て部材における係止用突起をカーペットの貫通穴に貫通させて、カーペットを角当て部材と連続するようにして段部の床面の上に装着させた状態を示した断面説明図である。
【図４】上記の実施形態において、段部の床面に装着させる床面部と蹴込み面に装着させる蹴込み面部とにそれぞれ係止用突起が設けられた角当て部材を用い、この角当て部材を蹴込み面と床面とが交差する段部に取り付けると共に、角当て部材における係止用突起をカーペットの貫通穴に貫通させて、カーペットを角当て部材と連続するようにして段部の床面と蹴込み面とに装着させた状態を示した断面説明図である。
【図５】上記の実施形態において使用する角当て部材において、係止用突起の形状を変更させた第１の変更例に係る角当て部材を示した部分斜視図である。
【図６】上記の第１の変更例に係る角当て部材に対応させて、貫通穴の形状を変更させたカーペットの一部を示した概略平面図である。
【図７】上記の実施形態において使用する角当て部材において、金属製基部と樹脂部材とで構成された第２の変更例に係る角当て部材を示した部分斜視図である。
【発明を実施するための最良の形態】
【００１８】
以下、この発明の実施形態に係る段部の床構造を添付図面に基づいて具体的に説明する。なお、この発明に係る段部の床構造は、特に下記の実施形態に示したものに限定されるものではなく、その要旨を変更しない範囲において適宜変更して実施できるものである。
【００１９】
この実施形態においては、蹴込み面１と床面２とが交差する段部に取り付ける角当て部材１０として、図１に示すように、摩擦係数の高い軟質樹脂で構成され、段部の蹴込み面１に装着させる蹴込み面部１１と、段部の床面２に装着させる床面部１２とが段部の角部に沿うようにして屈曲され、蹴込み面部１１と床面部１２とが交差する端部に沿って床面部１２より上方に突出した滑り止め部１３が設けられると共に、上記の床面部１２の上に上記の滑り止め部１３と略同じ高さの円柱状になった係止用突起１４が適当な間隔を介して複数列設けられたものを用いるようにした。なお、角当て部材１０に用いる摩擦係数の高い軟質樹脂としては、例えば、ポリ塩化ビニル等のビニル系樹脂、ポリエチレン等のオレフィン系樹脂、ナイロン等のアミド系樹脂、ＥＰＤＭやシリコン等のゴム系樹脂等の各種の軟質樹脂を用いることができる。
【００２０】
一方、床面２に装着させるカーペット２０としては、図２（Ａ），（Ｂ）に示すように、基材２１の表面にパイル２２が植設されると共に、上記の角当て部材１０の床面部１２に装着させる部分に、角当て部材１０の係止用突起１４に対応するようにして、円形状の貫通穴２３が適当な間隔を介して複数列設けられたものを用いるようにした。
【００２１】
そして、この実施形態においては、図３に示すように、上記の角当て部材１０における蹴込み面部１１を段部の蹴込み面１に、床面部１２を段部の床面２にそれぞれ接着剤によって接着させると共に、上記のカーペット２０に設けられた各貫通穴２３にそれぞれ角当て部材１０の床面部１２に設けられた各係止用突起１４を挿通させて、カーペット２０に設けられた各貫通穴２３に角当て部材１０の床面部１２に設けられた各係止用突起１４を係合させ、この状態でカーペット２０を角当て部材１０の床面部１２から床面２の上に接着剤で接着させるようにした。
【００２２】
このように、この実施形態においては、角当て部材１０における係止用突起１４をカーペット２０の貫通穴２３に挿通させるようにして、カーペット２０を角当て部材１０の床面部１２と床面２の上に接着させるだけで、段部に取り付けられた角当て部材１０と連続するようにして床面２にカーペット２０を簡単に敷設できるようになる。
【００２３】
また、上記のように角当て部材１０における係止用突起１４をカーペット２０の貫通穴２３に挿通させるようにして、角当て部材１０とカーペット２０とを係合させているため、角当て部材１０とカーペット２０との動きが相互に規制され、段部に取り付けられた角当て部材１０や、床面２に敷設されたカーペット２０が勝手にずれるのが適切に防止されるようになる。
【００２４】
また、カーペット２０の貫通穴２３を貫通して突出された角当て部材１０における係止用突起１４とカーペット２０におけるパイル２２の上面との凹み強度や摩擦抵抗の差によって、この係止用突起１４の部分を踏んだ際における滑りが抑制され、特に、上記のように角当て部材１０自体を摩擦係数の高い軟質樹脂で構成して、上記の滑り止め部１３及び係止用突起１４が摩擦係数の高い軟質樹脂で構成されるようにすると、より一層滑り防止効果が高められるようになる。
【００２５】
なお、この実施形態において、上記のカーペット２０としては、長尺状のカーペットや所定の大きさになったタイルカーペット等を用いることができる。
【００２６】
そして、上記のカーペット２０として、所定の大きさになったタイルカーペット２０を用いる場合には、長尺状の角当て部材１０を段部に沿ってその床面２の上に接着させた後、上記のように角当て部材１０における係止用突起１４をタイルカーペット２０における貫通穴２３に挿通させるようにして、タイルカーペット２０を順々に角当て部材１０の床面部１２と床面２の上に接着させるようにする他、上記の角当て部材１０をタイルカーペット２０に対応した長さに切断し、この角当て部材１０における係止用突起１４をタイルカーペット２０の貫通穴２３に挿通させるようにして、タイルカーペット２０を角当て部材１０の床面部１２の上に取り付け、タイルカーペット２０と角当て部材１０とを一体化させた状態で、これらを段部の床面２の上に接着させるようにすることもできる。
【００２７】
また、この実施形態においては、角当て部材１０の床面部１２に係止用突起１４を設けるようにしただけであるが、図４に示すように、角当て部材１０の蹴込み面部１１にも複数の係止用突起１４を設け、この蹴込み面部１１に設けられた各係止用突起１４をカーペット２０に設けられた各貫通穴２３に挿通させて、この状態でカーペット２０を角当て部材１０の蹴込み面部１１から蹴込み面１の上に接着剤で接着させるようにすることも可能である。
【００２８】
また、この実施形態においては、角当て部材１０の床面部１２に設ける係止用突起１４を円柱状にしたが、係止用突起１４の形状は特に限定されず、例えば、図５に示すように、平面長方形状の係止用突起１４を適当な間隔を介して複数列設けられたものを用い、またこれに対応させて、図６に示すように、長方形状の貫通穴２３が適当な間隔を介して複数列設けられたカーペット２０を用いるようにすることができる。
【００２９】
また、この実施形態においては、角当て部材１０を摩擦係数の高い軟質樹脂で構成するようにしたが、角当て部材１０をアルミニウムやステンレス等の金属で構成し、係止用突起１４の上面に摩擦係数の高い軟質樹脂を設けるようにすることも可能である。
【００３０】
さらに、図７に示すように、角当て部材１０として、段部の蹴込み面１に装着させる蹴込み面部１１と段部の床面２に装着させる床面部１２とが交差する部分から係止部１５が上方に鉤形状に延出された金属製基部１０ａと、上記の滑り止め部１３と円柱状になった係止用突起１４とが摩擦係数の高い軟質樹脂で構成された樹脂部材１０ｂとで構成され、この樹脂部材１０ｂを金属製基部１０ａの床面部１２の上に接着等によって取り付けると共に、この樹脂部材１０ｂにおける滑り止め部１３を金属製基部１０ａの係止部１５に係止させるようにしたものを用いることもできる。
【符号の説明】
【００３１】
１  蹴込み面
２  床面
１０  角当て部材
１０ａ  金属製基部
１０ｂ  樹脂部材
１１  蹴込み面部
１２  床面部
１３  滑り止め部
１４  係止用突起
１５  係止部
２０  カーペット（タイルカーペット）
２１  基材
２２  パイル
２３  貫通穴
【図１】
0005629150.tif 000002
【図２】
0005629150.tif 000003
【図３】
0005629150.tif 000004
【図４】
0005629150.tif 000005
【図５】
0005629150.tif 000006
【図６】
0005629150.tif 000007
【図７】
0005629150.tif 000008